(57)【要約】      （修正有）【課題】電力接続ターミナルを介して装置の動作に必要な電力を受電すると共に、電気的接続ポートを介して他の外部電子装置への必要な電力をインタフェーシングすることができる、共用電源インタフェースを有するネットワーク装置を提供する。【解決手段】共用電源インタフェースを有するネットワーク装置２０は、ネットワーク装置内部の信号とデータの処理を執行するための制御ユニットと、ネットワーク装置内部の無線通信プロトコル又は有線通信プロトコルの通信信号を処理するための通信モジュールと、ネットワーク装置に電源アダプター装置を電気的に接続させると共に電源アダプター装置２２の電力をインタフェーシングして電子装置に供給するための共用電源インタフェースモジュールとを備える。さらに、共用電源インタフェースモジュールを介してネットワークを動作させるための電力を受電すると共にネットワーク装置の電力配置を管理するための電力管理ユニットと、を含む。【選択図】図２
0003183282.tif 000002
【実用新案登録請求の範囲】
【請求項１】
共用電源インタフェースを有するネットワーク装置であって、
前記ネットワーク装置内部の信号とデータの処理を執行するための制御ユニットと、
前記制御ユニットに電気的に接続されており、前記ネットワーク装置内部の無線通信プロトコル又は有線通信プロトコルの通信信号を処理するための通信モジュールと、
前記制御ユニットに電気的に接続されており、前記ネットワーク装置に電源アダプター装置を電気的に接続させると共に前記電源アダプター装置の電力をインタフェーシングして電子装置に供給するための共用電源インタフェースモジュールと、
前記制御ユニットと前記共用電源インタフェースモジュールに電気的に接続されており、前記共用電源インタフェースモジュールを介して前記ネットワークを動作させるための電力を受電すると共に前記ネットワーク装置の電力配置を管理するための電力管理ユニットと、
を含むことを特徴とする共用電源インタフェースを有するネットワーク装置。
【請求項２】
前記通信モジュールは、
接続ポートにより有線ネットワークに接続するための有線通信モジュールと、
アンテナにより少なくとも一つのコンピューター端末装置に無線通信を行うサービスを提供するための無線通信モジュールと、
を含むことを特徴とする請求項１に記載の共用電源インタフェースを有するネットワーク装置。
【請求項３】
前記ネットワーク装置は、一つ又は複数のコンピューター端末装置にネットワーク接続サービスを提供すると共に、前記一つ又は複数のコンピューター端末装置のパケットルーティングを処理するためのネットワークルーター装置であり、
前記制御ユニットと前記通信モジュールは、パケットルーティングを執行するための主要回路であり、
前記通信モジュールは、異なるネットワークセグメントの接続のデータパケットを転送することを特徴とする請求項２に記載の共用電源インタフェースを有するネットワーク装置。
【請求項４】
前記共用電源インタフェースモジュールは、
前記電力管理ユニットに電気的に接続される電力制御回路と、
前記電源アダプター装置と前記電力制御回路に電気的に接続される電力接続ターミナルと、
前記電力制御回路に電気的に接続されており、前記電子装置に接続させる電気的接続ポートと、
を含むことを特徴とする請求項１に記載の共用電源インタフェースを有するネットワーク装置。
【請求項５】
前記共用電源インタフェースモジュールは、ＵＳＢの回路モジュールであることを特徴とする請求項３に記載の共用電源インタフェースを有するネットワーク装置。
【請求項６】
前記電力接続ターミナルは、前記ＵＳＢの雄コネクタであり、
前記電気的接続ポートは、前記ＵＳＢの雌コネクタであることを特徴とする請求項４に記載の共用電源インタフェースを有するネットワーク装置。
【請求項７】
前記ネットワーク装置が少なくとも二つの外部記憶媒体に接続するための少なくとも二つの接続機構と、
前記制御ユニットと前記少なくとも二つの接続機構に電気的に接続されており、前記少なくとも二つの接続機構における電気信号に応じてアクセスパスを選択するためのアクセスパス選択ユニットと、
を更に含むことを特徴とする請求項１に記載の共用電源インタフェースを有するネットワーク装置。
【請求項８】
前記少なくとも二つの外部記憶媒体の接続機構は、
メモリカードに挿入させるためのメモリカードアクセスユニットと、
外部記憶装置に接続させるための外部アクセスユニットと、
を含み、
前記ネットワーク装置の前記電力管理ユニットは、前記アクセスパス選択ユニットが提供する前記少なくとも二つの外部記憶媒体の接続状態に応じて、前記メモリカードアクセスユニット又は前記外部アクセスユニットへの電力供給をそれぞれ管理することを特徴とする請求項７に記載の共用電源インタフェースを有するネットワーク装置。
【請求項９】
前記アクセスパス選択ユニットは、前記メモリカードアクセスユニットと前記外部アクセスユニットにおける電気信号を検知するための信号検知ユニットを含むことを特徴とする請求項８に記載の共用電源インタフェースを有するネットワーク装置。
【請求項１０】
前記メモリカードアクセスユニットは、前記アクセスパス選択ユニットを整合する接続信号検知回路を含むことを特徴とする請求項９に記載の共用電源インタフェースを有するネットワーク装置。
【考案の詳細な説明】
【技術分野】
【０００１】
本考案は、共用電源インタフェース（ｃｏｍｍｏｎ  ｐｏｗｅｒ  ｉｎｔｅｒｆａｃｅ）を有するネットワーク装置（ｎｅｔｗｏｒｋ  ａｐｐａｒａｔｕｓ）に関するものであり、特に内部の共用電源インタフェース回路を介して外部電源とのインタフェーシング（ｉｎｔｅｒｆａｃｉｎｇ）を行うと共に他の電子装置に電力を供給することができるネットワーク装置に関するものである。
【背景技術】
【０００２】
図１は、従来のＩＰ共有デバイス（ＩＰ  ｓｈａｒｉｎｇ  ｄｅｖｉｃｅ）の使用状態の模式図を示すものである。図１に示すように、ＩＰ共有デバイス１０は、有線または無線によるネットワーク接続サービスを提供するためのルーター（ｒｏｕｔｅｒ）である。また、図１に示すように、コンピューター端末装置（ｈａｎｄｙ  ｔｅｒｍｉｎａｌ  ｄｅｖｉｃｅ）１４及びノートパソコン１６といった外部コンピューター装置は、無線通信技術によりＩＰ共有デバイス１０に接続することによって、ＩＰ共有デバイス１０を介して例えば家庭用のＡＤＳＬ（非対称デジタル加入者線）又は３Ｇネットワークといった外部ネットワークに接続するためのサービスを使用する。ＩＰ共有デバイス１０の給電方式は、ＩＰ共有デバイス１０が電源アダプター（ｐｏｗｅｒ  ａｄａｐｔｅｒ）１０１を介してコンセント１２に電気的に接続されることによって電力を受ける。
【０００３】
また、多機能を有するルーターの場合、外部記憶装置に接続するためのユニバーサル・シリアル・バス（以下、ＵＳＢという）インタフェースを有するため、ネットワークディスク（ｎｅｔｗｏｒｋ  ｄｉｓｋ）又はイントラネット（ｉｎｔｒａｎｅｔ）を介して外部記憶装置とのアクセスを行うように、ネットワークで記憶空間を共同使用（ｓｈａｒｉｎｇ）する機能を提供することができる。
【考案の概要】
【考案が解決しようとする課題】
【０００４】
本考案は、外部電源アダプターを電気的に接続するための電力接続ターミナルと、外部電源アダプターを接合するための接合構造と、を備えることによって、電力接続ターミナルを介して装置の動作に必要な電力を受電すると共に、電気的接続ポート（ｅｌｅｃｔｒｉｃａｌ  ｐｏｒｔ）を介して他の外部電子装置への必要な電力をインタフェーシングすることができる、共用電源インタフェースを有するネットワーク装置を提供することを課題とする。
【課題を解決するための手段】
【０００５】
本考案に係る共用電源インタフェースを有するネットワーク装置は、ネットワーク装置内部の信号とデータの処理を執行するための制御ユニットと、ネットワーク装置内部の無線通信プロトコル（ｗｉｒｅｌｅｓｓ  ｃｏｍｍｕｎｉｃａｔｉｏｎ  ｐｒｏｔｏｃｏｌ）又は有線通信プロトコルの通信信号を処理するための通信モジュールと、前記制御ユニットに電気的に接続されており、前記ネットワーク装置に電源アダプター装置を電気的に接続させると共に前記電源アダプター装置の電力をインタフェーシングして電子装置に供給するための共用電源インタフェースモジュールと、前記制御ユニットと前記共用電源インタフェースを電気的に接続されており、前記共用電源インタフェースモジュールを介して前記ネットワークを動作させるための電力を受電すると共に前記ネットワーク装置の電力配置を管理するための電力管理ユニットと、を含む。
【０００６】
共用電源インタフェースモジュールは、ネットワーク装置に電源アダプター装置に電気的に接続させるためのものである。共用電源インタフェースモジュールは、電力制御回路と、電源アダプター装置を接続するための電力接続ターミナルと、電子装置に電気的に接続させるための電気的接続ポートと、を含む。ネットワーク装置は、電力接続ターミナルを介して電力を受電すると共に、電気的接続ポートを介して電源アダプター装置の電力をインタフェーシングして電子装置に供給する。
【０００７】
実施例において、ネットワーク装置はルーター装置であり、通信モジュールは、有線ネットワークを接続するための有線通信モジュールと、各電子装置に無線によるネットワーク接続サービスを提供するための無線通信モジュールと、を含む。
【０００８】
また、ＵＳＢを例とする場合、共用電源インタフェースモジュールにおける電力接続ターミナルはＵＳＢの雄コネクタであり、電気的接続ポートはＵＳＢの雌コネクタである。
【０００９】
また、他の実施例において、ネットワーク装置は、共用電源インタフェースにより外部記憶媒体にインターネットアクセスサービス（Ｉｎｔｅｒｎｅｔ  ａｃｃｅｓｓ  ｓｅｒｖｉｃｅｓ）を提供する。ネットワーク装置が接続する外部記憶媒体は、メモリカード又はあらゆる外部記憶装置である。複数の記憶媒体を提供するために、ネットワーク装置は、各記憶媒体の接続機構の電気信号に応じてアクセスパス（ａｃｃｅｓｓ  ｐａｔｈ）を選択するためのアクセスパス選択ユニットを備える。
【考案の効果】
【００１０】
本考案に係る共用電源インタフェースを有するネットワーク装置によれば、ネットワーク接続サービスを提供するためのネットワーク装置（例えばルーターなど）であり、且つ、電源アダプター装置に電気的に接続されるため、共用電源インタフェースにより電源アダプター装置を介して受電できると共に、電気的接続ポートを介して他の電子装置に電力を供給できる。
【図面の簡単な説明】
【００１１】
【図１】従来のＩＰ共有デバイスの使用状態の模式図を示すものである。
【図２】本考案に係る共用電源インタフェースを有するネットワーク装置の使用状態の模式図を示すものである。
【図３】本考案に係る共用電源インタフェースを有するネットワーク装置と外部装置の接続関係の模式図を示すものである。
【図４】本考案に係る共用電源インタフェースを有するネットワーク装置の第１の態様の回路ブロック図を示すものである。
【図５】本考案に係る共用電源インタフェースを有するネットワーク装置の第２の態様の回路ブロック図を示すものである。
【図６】本考案に係る共用電源インタフェースを有するネットワーク装置の模式図を示すものである。
【図７】本考案に係る共用電源インタフェースを有するネットワーク装置における共用電源インタフェースモジュールの模式図を示すものである。
【図８Ａ】本考案に係る共用電源インタフェースを有するネットワーク装置と電源アダプター装置の接続関係の模式図を示すものである。
【図８Ｂ】本考案に係る共用電源インタフェースを有するネットワーク装置と電源アダプター装置の接続関係の模式図を示すものである。
【考案を実施するための形態】
【００１２】
図６、図８Ａ及び図８Ｂに示すように、本考案に係る共用電源インタフェースを有するネットワーク装置は、電源アダプター装置を接続するための接合構造を備えるため、従来のＩＰ共有デバイスにおいての別途に設置する必要のある電気コネクタと電線を省略することができると共に、ネットワーク装置における他のポートが他の電子装置に電力を供給することができる。また、本考案において、ネットワーク装置と接合する電源アダプター装置は、そもそも外部電子装置に電力を供給するための給電源であってもよい。
【００１３】
他の電子装置と同時に電力を共用する目的を達成するために、本考案において、ネットワーク装置の内部には共用電源インタフェース回路が設けられるため、内部の共用電源インタフェース回路によりネットワーク装置と外部電子装置に同時に電力を供給することができる。
【００１４】
図２は、本考案に係る共用電源インタフェースを有するネットワーク装置の使用状態の模式図を示すものである。図２に示すように、ネットワーク装置２０は、電源アダプター装置２２に直接に接続される。電源アダプター装置２２は、商用交流電源（即ち電力）２を接続するための装置である。
【００１５】
ネットワーク装置２０は、例えばネットワーク接続サービスを提供するためのルーターである。図２に図示しないが、ネットワーク装置２０は、ネットワーク装置内部の無線通信プロトコル又は有線通信プロトコルの通信信号を処理するための通信モジュールを備える。通信モジュールは、インターネットに接続するためのネットワーク接続ポート（有線ネットワーク接続ポートと無線ネットワーク接続ポート）を含んでおり、パケット（ｐａｃｋｅｔ）をインターネット２００に転送することができるように外部電子装置に無線によるネットワーク接続サービスを提供する。
【００１６】
図２に示す実施例において、ネットワーク装置２０は電源アダプター装置２２を介して電力を受電する。図２に図示しないが、ネットワーク装置２０は、共用電源インタフェース回路を備える。ネットワーク装置２０は、共用電源インタフェース回路を介して電力を他のコンピューター端末装置２４にインタフェーシングすることができる。コンピューター端末装置２４は、例えば家電、コンピューター、携帯式電子機器などの電力装置である。
【００１７】
図２に示すように、コンピューター端末装置２４は、電力線（ｐｏｗｅｒ  ｌｉｎｅ）２０１を介してネットワーク装置２０から電力を受電する。また、ネットワーク装置２０を抜く場合、コンピューター端末装置２４は電源アダプター装置２２から直接に電力を受電することができる。更に、図２に示す実施例において、コンピューター端末装置２４は、ネットワーク装置２０が提供する無線によるネットワーク接続サービスを受けることによって、無線によるネットワーク接続サービスによりインターネット２００に接続して資源をアクセスすることができる。
【００１８】
また、他の実施例において、ネットワーク装置２０は、外部電子装置にネットワーク接続サービスを提供するほかに、外部電子装置にインターネットを介して記憶媒体をアクセスさせるように外部記憶媒体を接続するための接続ポートを更に備える。
【００１９】
図３は、本考案に係る共用電源インタフェースを有するネットワーク装置と外部装置の接続関係の模式図を示すものである。図３に示すように、ネットワーク装置３０は、電源アダプター装置３２を接続する。電源アダプター装置３２は、商用交流電源３に接続されることによって、商用交流電源３の電力をネットワーク装置３０に供給することができる。また、図２に示す実施例と同様に、ネットワーク装置３０は、外部コンピューター端末装置３０７に無線によるネットワーク接続サービスを提供すると共に、インターネット３００に接続することができる。
【００２０】
図３に示す実施例において、ネットワーク装置３０は、インターネットによるアクセスサービスを提供するようにしてもよい。例を挙げて説明すると、ネットワーク装置３０は、例えば無線ネットワーク装置、独立電源、カードリーダー及び外部記憶装置などのものを接続するための装置である。ネットワーク装置３０は、例えばネットワークルーター（ｎｅｔｗｏｒｋ  ｒｏｕｔｅｒ）、ゲートウェイ（ｇａｔｅｗａｙ）又はその他の装置であってもよい。ネットワーク装置３０は無線のネットワークルーターである場合、ネットワーク装置３０は、接続ポートを備えない携帯式電子機器（例えば、スマートフォン、タブレットコンピューター（Ｔａｂｌｅｔ  Ｃｏｍｐｕｔｅｒ）など）にネットワークルーターを介してメモリカード、外付けハードディスク、外付け光磁気ディスクなどの外部記憶媒体をアクセスさせることができる。
【００２１】
図３に示すように、ネットワーク装置３０は、接続ポートを介して外部メモリカード３０１と外部記憶装置３０３を電気的に接続する。ネットワーク装置３０は、自身のネットワーク接続機能によりコンピューター端末装置３０７に対してインターネットを介して記憶媒体にアクセスする機能を提供する。本実施例において、ネットワーク装置３０がサポートする通信プロトコルは、例えばハイパーテキスト転送プロトコル（ＨＴＴＰ）ファイルサーバ（ＨＴＴＰ  ｆｉｌｅ  ｓｅｒｖｅｒ）、ファイル転送プロトコル（ＦＴＰ）ファイルサーバ（ＦＴＰ  ｆｉｌｅ  ｓｅｒｖｅｒ）である。ＨＴＴＰファイルサーバは、主としてメモリにおけるファイルの転送サービスを提供する。ＦＴＰファイルサーバは、そのファイルフォルダ（ｆｉｌｅ  ｆｏｌｄｅｒ）のアクセスサービスを提供する。一般的に、各種プラットフォームに適用されるデータアクセスサービスを提供するために、ファイルシステムはＦＡＴ、ＦＡＴ３２、ＮＴＦＳ、ｅｘＦＡＴ等であってもよいが、実際の実施においてはプラットフォームに基づいて設計することができ、これらのファイルシステムに限定されない。
【００２２】  本明細書に記載する共用電源インタフェースを有するネットワーク装置において、このネットワーク装置は少なくとも外部記憶媒体にアクセスする２つのインタフェースを提供し、そのネットワーク通信機能によってリモートデータ保存サービスを提供し、同時に複数のネットワークサービスアクセス端末装置、例えばパーソナルコンピューター、タブレットＰＣ、スマートフォン及びネットワーク接続機能を有する電子装置に対してサービスを提供することができる。ネットワーク装置は、ポータブル式で、独立動作が可能で、無線接続能力を有する１つのネットワーク装置であってもよい。１つの実施例によれば、ネットワーク装置は少なくとも例えばカードリーダーであるメモリカードアクセスインタフェース（図５をご参照）を有し、エネルギー節約及びカードの活線挿抜（Ｈｏｔ  Ｓｗａｐｐｉｎｇ）の機能をサポートする。図５に示すように、ネットワーク装置は更に、外部記憶装置に接続可能な他のアクセスインタフェース、例えばユニバーサル・シリアル・バス（ＵＳＢ）、ＰＣＩ（Ｐｅｒｉｐｈｅｒａｌ  Ｃｏｍｐｏｎｅｎｔ  Ｉｎｔｅｒｃｏｎｎｅｃｔ、例えば（公序良俗違反につき、不掲載）等を含む。
【００２３】
ネットワーク装置３０は、外部のコンピューターシステム３０５を接続するためのインタフェースを更に備える。ネットワーク装置３０は、インタフェースを介してコンピューターシステム３０５に直接に接続される。ネットワーク装置３０とコンピューターシステム３０５との間の接続は、ＵＳＢポートで実現でき、ユーザーがコンピューターシステム３０５を介してネットワーク装置３０の内部制御パラメータを設定するような機能の他、コンピューターシステム３０５がインターネット３００に直接に接続されるようなモデル（ルーティング）機能をも有する。
【００２４】
図４は、本考案に係る共用電源インタフェースを有するネットワーク装置の回路ブロック図を示すものである。図４に示すように、共用電源インタフェースを有するネットワーク装置４０は、ネットワーク装置内部の信号とデータの処理を執行するための制御ユニット４０１と、制御ユニット４１０と電気的に接続する通信モジュール（通信モジュールは有線通信プロトコルと無線通信プロトコルの関連回路を含む）と、電力管理ユニット４１０と、共用電源インタフェースモジュール４７などの回路エレメントを含む。
【００２５】
ネットワーク装置４０は、ネットワークルーター装置で実現するようにしてもよい。ネットワーク装置４０は、有線ネットワークと無線ネットワークをインタフェーシングするためのルーティング回路とファームウェアを含む。通信モジュールは、ネットワーク装置４０内部の有線通信プロトコルと無線通信プロトコルの通信信号を処理するためのものである。通信モジュールは、ネットワーク接続サービスを提供するための有線通信モジュール４０２を含む。ネットワーク装置４０は、接続ポート４０３を介してインターネット４００に接続される。接続ポート４０３は、例えばＲＪ−４５の接続ポートであってもよい。
【００２６】
通信モジュールは、無線通信モジュール４０４を更に含む。ネットワーク装置４０は、無線通信モジュール４０４により無線によるネットワーク接続サービスを提供する。無線通信モジュール４０４は、アンテナ４０５を介して少なくとも一つのコンピューター端末装置４４に無線通信を行うサービスを提供する。実際の実施態様に応じて、ユーザーはコンピューター端末装置４４を使用して無線方式でネットワーク装置４０に接続することによって、ルーティング機能によりネットワーク装置４０を有線ネットワークに接続させることができる。
【００２７】
ネットワーク装置４０は、電源アダプター装置４２の電力を外部装置にインタフェーシングするための共用電源インタフェースモジュール４７を備える。共用電源インタフェースモジュール４７は、電力を供給する際に電力配置を行うための電力制御回路４０７を備える。電力制御回路４０７の両端は、電力接続ターミナル４０９と電気的接続ポート４０８にそれぞれ接続される。電力接続ターミナル４０９は、ネットワーク装置４０が電源アダプター装置４２を接続するためのものであり、好ましくはユニバーサル・シリアル・バス（Ｕｎｉｖｅｒｓａｌ  Ｓｅｒｉａｌ  Ｂｕｓ、ＵＳＢ）のスロットである。また、電力接続ターミナル４０は、Ａ型（Ａ−ｔｙｐｅ）コネクタの雄コネクタ（ｍａｌｅ  ｃｏｎｎｅｃｔｏｒ）であってもよく、図４に示す第２の電力線４７１はその内部接続線として機能する。
【００２８】
電気的接続ポート４０８は、ネットワーク装置４０が電力を外部電力装置（例えばコンピューター端末装置４４）に供給するための接続ポートである。電気的接続ポート４０８はユニバーサル・シリアル・バス（Ｕｎｉｖｅｒｓａｌ  Ｓｅｒｉａｌ  Ｂｕｓ、ＵＳＢ）のスロットであり、例えば雌コネクタ（ｆｅｍａｌｅ  ｃｏｎｎｅｃｔ）であってもよい。電気的接続ポート４９８の接続線は第１の電力線４４１である。図４に示すように、ネットワーク装置４０は、コンピューター端末装置４４に対して無線によるネットワーク接続サービスにより有線ネットワーク４００へルーティングするサービスを提供すると共に、第１の電力線４４１によりコンピューター端末装置４４に供給又は充電を行うことができる。
【００２９】
ネットワーク装置４０は、ネットワーク装置４０内部の電力配置を管理するための電力管理ユニット４１０を備える。電力管理ユニット４１０は、制御ユニット４０１と共用電源インタフェースモジュール４７に電気的に接続されており、共用電源インタフェースモジュール４７を介してネットワーク装置４０の必要な動作電力を受ける。
【００３０】
ネットワーク装置４０は、接合構造により電源アダプター装置４２を連結する。図４に示すように、電源アダプター装置４２の主な回路エレメントは、電源供給回路４２１、電力アダプターモジュール４２３及び電力接続ポート４２５を含む。電源供給回路４２１は、商用交流電源４に接続する主な回路である。電力アダプターモジュール４２３は、交流電力を直流電力に転換するためのものである。接合構造により電源アダプター装置４２とネットワーク装置４０を接合した後、電源アダプター装置４２は、電力接続ポート４２５を介して共用電源インタフェースモジュール４７の電力接続ターミナル４０９に電気的に接続される。
【００３１】  図５は、本考案に係る共用電源インタフェースを有するネットワーク装置の第２の態様の回路ブロック図を示すものである。図５に示すように、ネットワーク装置５０は、共用電源インタフェースモジュール５７を介して電源アダプター装置５３１に電気的に接続される。また、ネットワーク装置５０は、ネットワーク接続サービスにより外部記憶媒体にネットワークアクセスサービスを提供する。ネットワーク装置５０が接続する外部記憶媒体は、例えばメモリカード５８１及び各種の外部記憶装置５９１であってもよい。複数の記憶媒体を提供するために、ネットワーク装置５０は、各記憶媒体の接続機構における電気信号に応じて選択を行うためのアクセスパス選択ユニット５０６を備える。ネットワーク装置５０とメモリカード５８１との接続はカードリーダー機構によって構成されたスロットを介してもよい。カードリーダー機構の接続型式は、サポートしようとするメモリカード５８１に基づいて決められてもよく、複数種のメモリカード５８１をサポートする複合式スロットとして設計されてもよい。外部記憶装置５９１に対するアクセスインタフェースはＵＳＢが好ましいが、その他の例えば（公序良俗違反につき、不掲載）、ＵＡＲＴ等のインタフェース型式であってもよい。
【００３２】
ネットワーク装置５０は、無線によるネットワーク接続サービスを提供するように近端電子装置及びパーソナルコンピューター等の端末装置に対してネットワークアクセスサービスを提供する。特に、タブレットＰＣ、スマートフォンといった外部メモリ拡張能力の低い電子装置は、ネットワーク装置５０を利用することでより大容量の拡張を提供する必要がある。この例において、ネットワーク装置５０は、メモリカード５８１のカードリーダーインタフェースを提供し、更に他の外部記憶装置５９１のアクセスインタフェースを提供することができる。例えばＵＳＢを介して外付ハードディスク、ディスクアレイ、ＵＳＢフラッシュメモリ等の記憶装置に接続することができ、更にはネットワーク接続記憶装置（Ｎｅｔｗｏｒｋ−Ａｔｔａｃｈｅｄ  Ｓｔｏｒａｇｅ、ＮＡＳ）にも接続することができ、各端末装置に対して各種外部記憶媒体にアクセスするアクセスサービスを提供する。
【００３３】
ネットワーク装置５０は、ネットワーク装置５０内部の回路信号を処理すると共に各回路ユニットを制御するための制御ユニット５０１を含む。また、ネットワーク装置５０は、やり取りのパケット信号とネットワークセグメント（ｎｅｔｗｏｒｋ  ｓｅｇｍｅｎｔ）のパケット伝送を処理する。
【００３４】
ネットワーク装置５０は、一つ又は複数のコンピューター端末装置に対してネットワーク接続サービスを提供すると共に、これらのコンピューター端末装置のパケットルーティングを処理するためのネットワークルーター装置で実現してもよい。また、制御ユニット５０１と通信モジュールはパケットルーティングを行う主要な回路である。通信モジュールにより異なるネットワークセグメント（ｎｅｔｗｏｒｋ  ｓｅｇｍｅｎｔ）の接続のデータパケットを転送する。ネットワーク装置５０は、イーサネット（登録商標）におけるパケットを処理するための有線通信モジュール５０２を含む。有線通信モジュール５０２は、接続ポートを介してインターネット５００に接続される。ネットワーク装置５０は、無線ネットワークパケットを処理するための無線通信モジュール５０４を更に含む。無線通信モジュール５０４は、アンテナ５０５により無線信号を生成することによって、無線ネットワークパケットを有線ネットワークへ転送するように外部電子装置５２１に無線によるネットワーク接続サービスを提供する。
【００３５】
図５に示すように、ネットワーク装置５０は、少なくとも２つの外部接続ポートを提供し、そのうちの１つはメモリカードアクセスユニット５０８を介してメモリカード５８１に接続するインタフェースを提供し、他の１つは外部アクセスユニット５０９によって外部記憶装置５９１に接続される。ネットワーク装置５０におけるアクセスパス選択ユニット５０６は、ネットワーク装置５０における制御ユニット５０１に電気的に接続されており、メモリカード５８１又は外部記憶装置５９１のアクセスパスを決めると共に、外部の端末装置（例えば外部電子装置５２１又は他の端末装置）のアクセスパスを決めるためのものである。
【００３６】
例えば、メモリカード５８１がメモリカードアクセスユニット５０８を介してネットワーク装置５０に接続されると、アクセスパス選択ユニット５０６は、取得された電気信号に基づいてメモリカード５８１が既に挿入されていると判断し、この時、制御ユニット５０１が送信したアクセス信号をメモリカードアクセスユニット５０８に導くことによって、端末装置がメモリカード５８１の内容にアクセスすることができる。
【００３７】
他の状況において、ネットワーク装置５０にメモリカード５８１が挿入されていない場合、アクセスパス選択ユニット５０６は、外部アクセスユニット５０９を介していずれかの外部記憶装置５９１がこのネットワーク装置５０に接続されているかどうかを判断し、特に外部アクセスユニット５０９が生成した電気信号から接続関係を判断する。外部アクセスユニット５０９は、同様に例えばＵＳＢ及びその制御装置のような、インタフェースを介して伝送されるデータ信号を処理するための特定のインタフェースの接続ポート及び制御回路として設計してもよい。この実施例において、制御ユニット５０１は、アクセスパス選択ユニット５０６、外部アクセスユニット５０９経由で外部記憶装置５９１に電気的に接続されることによって、型式、容量、ファイルシステムといった外部記憶装置５９１の情報を取得する。
【００３８】
１つの実施例によれば、アクセスパス選択ユニット５０６は、インテリジェント型でアクセスパスを自己判断できると共に、各アクセスパスにおける制御回路（例えばＵＳＢ制御ＩＣとメモリカード制御ＩＣ）に対する信号を同時に取得し、アクセスパス選択ユニット５０６のアクセスパス選択の判断フローを設定することができるようにしてもよい。各接続ポートにおける電気信号に基づいてアクセスパスを決めることを実現するために、アクセスパス選択ユニット５０６は、メモリカードアクセスユニット５０８と外部アクセスユニット５０９の電気信号を検知するための信号検知ユニット（図示せず）を備えるようにしてもよい。信号検知ユニットは、外部に対する各接続ポートに接続する回路であり、各接続ポートの各ピン（ｐｉｎ）における電気信号に基づいて接続している装置があるか否かを判断する。実施例において、信号検知方法として、メモリカード制御ユニット５０８はアクセスパス選択ユニット５０６を整合する接続信号検知回路を含むようにしてもよい。
【００３９】
１つの考案の実施例において、ネットワーク装置５０は、コンピューターシステム５７１に接続されるコンピューターシステム接続ユニット５０７を更に含んでもよい。コンピューターシステム接続ユニット５０７はネットワーク装置５０に電力供給を接続するためのポートを提供する。例えばＵＳＢインタフェースを介してコンピューターシステム５７１が接続されるようにしてもよく、この場合、対応するＵＳＢ制御回路が設けられなければならない。これにより、コンピューターシステム５７１を介してネットワーク装置５０の電力を供給するのみならず、ネットワーク装置５０は更にこの接続関係によってコンピューターシステム５７１にネットワーク接続サービスも提供することができ、即ち、パケットルーティングと各ネットワークセグメントのデータ転送のサービスを提供することもできる。
【００４０】
制御ユニット５０１は、電力管理ユニット５１０に電気的に接続される。電力管理ユニット５１０は、装置の動作に必要な電力配置（各回路素子に必要な電力を含む）を管理する。この実施例において、電力管理ユニット５１０は、本考案に係るネットワーク装置が提供する少なくとも２つの外部記憶媒体の接続機構に電気的に接続され、即ち、メモリカードアクセスユニット５０８と外部アクセスユニット５０９に電気的に接続される。また、電力管理ユニット５１０は、アクセスパス選択ユニット５０６が提供する外部記憶媒体の接続状態の検知に基づいて電力を供給する。これにより、最低消費電力において節電の目的を達成することができる。
【００４１】
電力管理ユニット５１０は、ネットワーク装置内の制御ユニット５０１と上述した少なくとも２つの接続機構に電気的に接続されるとともに、装置に必要な電源に電気的に接続される。実施例において、電力管理ユニット５１０は、電源アダプター装置５３１の電力を外部電子装置にインタフェーシングするための共用電源インタフェースモジュール５７に電気的に接続される。
【００４２】
共用電源インタフェースモジュール５７は、電力のインタフェーシング及び関連する接続ポートを処理するための電力制御回路５１１を含む。電力制御回路５１１と電力管理ユニット５１０は電気的に接続されるため、ネットワーク装置５０はこの接続により電力を受電する。電力制御回路５１１の両端は、外部の設備にそれぞれ電気的に接続される。図５に示すように、共用電源インタフェースモジュール５１は、その一端が電源アダプター装置５３１を接続するための電力接続ターミナル５３１であり、その他端が外部電子装置５２１を接続するための電気的接続ポート５１２である。実施例において、共用電源インタフェースモジュール５７は、ユニバーサル・シリアル・バス（ＵＳＢ）の回路モジュールであってもよく、この場合、電源アダプター装置５３１の構造を接続するための電力接続ターミナル５１３はＵＳＢの雄コネクタであり、電気的接続ポート５１２はＵＳＢの雌コネクタであるようにしてもよい。
【００４３】
図６は、本考案に係る共用電源インタフェースを有するネットワーク装置の模式図を示すものである。
【００４４】
図６に示すように、ネットワーク装置６は、電源アダプター装置を結合するための結合構造６５である凹部構造を有する装置であり、その凹部構造には、電源アダプター装置に接続する電力接続ターミナル６３が設けられる。ネットワーク装置６には、ＲＪ−４５型の有線ワットワーク接続ポート６１が設けられる。この実施例において、電力接続ターミナル６３はＵＳＢポートであり、特にＡ型コネクタの雄コネクタであり、外部から受電できる。ネットワーク装置６の他端（図６には図示せず）は雌コネクタを介して給電すべき電子装置に接続する。ネットワーク装置６は、電源アダプター装置から直接に受電するほかに、電源アダプター装置の電力をインタフェーシングして電力を外部装置に供給することができる。
【００４５】
図７は、本考案に係る共用電源インタフェースを有するネットワーク装置における共用電源インタフェースモジュールの模式図を示すものである。図７に示すように、ネットワーク装置における共用電源インタフェースモジュール７０は、回路基板で実現しており、その主な目的は、電源アダプター装置からの電力をインタフェーシングして電力配置（ネットワーク装置に必要な動作電力をも含む）を制御すると共に、電力を他の外部電子装置に供給することにある。
【００４６】
この実施例において、共用電源インタフェースモジュール７０の両端は、ＵＳＢ型の電力接続ターミナル７０１と装置側電力出力ポート７０３がそれぞれ設けられる。ＵＳＢパスの動作原理によれば、ＵＳＢパスはデータ伝送と電力供給を同時に行うことができる。電力供給としては、電源アダプター装置に接続する電力接続ターミナル７０１は雄コネクタであり、電力を外部電子装置に供給するための装置側電力出力ポート７０３は雌コネクタである。
【００４７】
図７に示すように、共用電源インタフェースモジュール７０は、ネットワーク装置の回路（図７における有線ネットワーク接続ポート７０５及びその関連回路）に組み合わせる。
【００４８】
図８Ａは、本考案に係る共用電源インタフェースを有するネットワーク装置と電源アダプター装置の接続関係の模式図を示すものである。この実施例において、電源アダプター装置８２は、商用交流電源に接続するコネクタである。また、電源アダプター装置８２は、外部電子装置の雄コネクタに挿入させて外部電子装置に電力供給を行うためのＵＳＢ型の雌コネクタを備える。
【００４９】
図８Ａに示すように、ネットワーク装置８０は、電源アダプター装置８２を接続して電源アダプター装置８２の一部を覆うための凹部構造である接合構造８５を含む。接合構造８５には、電源アダプター装置８２に挿入するためのＵＳＢ雄コネクタである電力接続ターミナル８０１が設けられる。また、ネットワーク装置８０の他端には、電力を外部電子装置にインタフェーシングするための電力出力ポート８２１が設けられる。
【００５０】
図８Ｂは、本考案に係る共用電源インタフェースを有するネットワーク装置８０と電源アダプター装置８２の接続関係の模式図を示すものであるが、その接続方式を限定するものではない。
【００５１】
上述したように、本考案に係る共用電源インタフェースを有するネットワーク装置によれば、ネットワーク接続サービスを提供するためのネットワーク装置（例えばルーターなど）であり、且つ、電源アダプター装置に電気的に接続されるため、共用電源インタフェースにより電源アダプター装置を介して直接に受電できると共に、電気的接続ポートを介して他の電子装置に電力を供給できる。
【００５２】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００５３】
１０  ＩＰ共有デバイス
１０１  電源アダプター
１２  コンセント
１４  コンピューター端末装置
１６  ノートパソコン
２０  ネットワーク装置
２２  電源アダプター装置
２  商用交流電源
２００  インターネット
２４  コンピューター端末装置
２０１  電力線
３０  ネットワーク装置
３２  電源アダプター装置
３  商用交流電源
３０７  コンピューター端末装置
３００  インターネット
３０１  メモリカード
３０３  外部記憶装置
３０５  コンピューターシステム
４０  ネットワーク装置
４０１  制御ユニット
４０２  有線通信モジュール
４０３  接続ポート
４０４  無線通信モジュール
４０５  アンテナ
４００  インターネット
４１０  電力管理ユニット
４０７  電力制御回路
４０８  電気的接続ポート
４７  共用電源インタフェースモジュール
４０９  電力接続ターミナル
４４１  第１の電力線
４７１  第２の電力線
４４  コンピューター端末装置
４２  電源アダプター装置
４２１  電源供給回路
４２３  電力アダプターモジュール
４２５  電力接続ポート
４  商用交流電源
５０  ネットワーク装置
５０１  制御ユニット
５０２  有線通信モジュール
５０３  接続ポート
５０４  無線通信モジュール
５０５  アンテナ
５０６  アクセスパス選択ユニット
５０７  コンピューターシステム接続ユニット
５０８  メモリカードアクセスユニット
５０９  外部アクセスユニット
５１０  電力管理ユニット
５７  共有電源インタフェースモジュール
５１１  電力制御回路
５１２  電気的接続ポート
５１３  電力接続ターミナル
５００  インターネット
５２１  外部電子装置
５７１  コンピューターシステム
５８１  メモリカード
５９１  外部記憶装置
５３１  電源アダプター装置
６  ネットワーク装置
６１  有線ネットワーク接続ポート
６３  電力接続ポート
６５  接合構造
７０  共用電源インタフェースモジュール
７０１  電力接続ターミナル
７０３  装置側電力出力ポート
７０５  有線ネットワーク接続ポート
８０  ネットワーク装置
８２  電源アダプター装置
８０１  電力接続ターミナル
８２１  電力出力ポート
８５  接合構造
【図１】
0003183282.tif 000003
【図２】
0003183282.tif 000004
【図３】
0003183282.tif 000005
【図４】
0003183282.tif 000006
【図５】
0003183282.tif 000007
【図６】
0003183282.tif 000008
【図７】
0003183282.tif 000009
【図８Ａ】
0003183282.tif 000010
【図８Ｂ】
0003183282.tif 000011
【手続補正書】
【提出日】平成25年3月4日(2013.3.4)
【手続補正１】
【補正対象書類名】明細書
【補正対象項目名】００２２
【補正方法】変更
【補正の内容】
【００２２】
本明細書に記載する共用電源インタフェースを有するネットワーク装置において、このネットワーク装置は少なくとも外部記憶媒体にアクセスする２つのインタフェースを提供し、そのネットワーク通信機能によってリモートデータ保存サービスを提供し、同時に複数のネットワークサービスアクセス端末装置、例えばパーソナルコンピューター、タブレットＰＣ、スマートフォン及びネットワーク接続機能を有する電子装置に対してサービスを提供することができる。ネットワーク装置は、ポータブル式で、独立動作が可能で、無線接続能力を有する１つのネットワーク装置であってもよい。１つの実施例によれば、ネットワーク装置は少なくとも例えばカードリーダーであるメモリカードアクセスインタフェース（図５をご参照）を有し、エネルギー節約及びカードの活線挿抜（Ｈｏｔ  Ｓｗａｐｐｉｎｇ）の機能をサポートする。図５に示すように、ネットワーク装置は更に、外部記憶装置に接続可能な他のアクセスインタフェースを含む。外部記憶装置に接続可能なアクセスインタフェースとしては、例えばユニバーサル・シリアル・バス（ＵＳＢ）などのものであってもよいが、特に制限がない。
【手続補正２】
【補正対象書類名】明細書
【補正対象項目名】００３１
【補正方法】変更
【補正の内容】
【００３１】
図５は、本考案に係る共用電源インタフェースを有するネットワーク装置の第２の態様の回路ブロック図を示すものである。図５に示すように、ネットワーク装置５０は、共用電源インタフェースモジュール５７を介して電源アダプター装置５３１に電気的に接続される。また、ネットワーク装置５０は、ネットワーク接続サービスにより外部記憶媒体にネットワークアクセスサービスを提供する。ネットワーク装置５０が接続する外部記憶媒体は、例えばメモリカード５８１及び各種の外部記憶装置５９１であってもよい。複数の記憶媒体を提供するために、ネットワーク装置５０は、各記憶媒体の接続機構における電気信号に応じて選択を行うためのアクセスパス選択ユニット５０６を備える。ネットワーク装置５０とメモリカード５８１との接続はカードリーダー機構によって構成されたスロットを介してもよい。カードリーダー機構の接続型式は、サポートしようとするメモリカード５８１に基づいて決められてもよく、複数種のメモリカード５８１をサポートする複合式スロットとして設計されてもよい。外部記憶装置５９１に対するアクセスインタフェースはＵＳＢが好ましいが、外部記憶装置５９１にアクセスできるアクセスインタフェースであればよく、特に制限がない。